(57)【要約】【課題】吸引装置において吸引部は従来の形状のままで、閉塞を解除できるようにする。【解決手段】吸引部と、負圧発生装置と、出口が前記負圧発生装置に接続される弁と、前記弁に指令を行う制御装置と、入口が前記吸引部に接続され出口が前記弁の入口に接続され流量信号が制御装置に接続される流量測定装置とを備え、前記流量測定装置は吸引の流量を測定し前記制御装置は閉塞が発生した場合に一定時間前記弁を閉じる指令を出力し前記吸引部での吸引力を減ずる又は０にする。【選択図】図１
2016013398.tif 000002
【特許請求の範囲】
【請求項１】
吸引部と、負圧発生装置と、出口が前記負圧発生装置に接続される弁と、前記弁に指令を行う制御装置と、入口が前記吸引部に接続され出口が前記弁の入口に接続され流量信号が制御装置に接続される流量測定装置とを備え、前記流量測定装置は吸引の流量を測定し前記制御装置は閉塞が発生した場合に一定の時間前記弁を閉じる指令を出力し前記吸引部での吸引力を減ずる又は０にすることによって閉塞を解決することを特徴とする吸引装置。
【請求項２】
吸引部と、負圧発生装置と、出口が前記負圧発生装置に接続される弁と、前記弁に指令を行う制御装置と、入口が前記吸引部に接続され出口が前記弁の入口に接続され圧力信号が制御装置に接続される圧力測定装置とを備え、前記圧力測定装置は吸引の圧力を測定し前記制御装置は閉塞が発生した場合に一定の時間前記弁を閉じる指令を出力し前記吸引部での吸引力を減ずる又は０にすることによって閉塞を解決することを特徴とする吸引装置。
【請求項３】
吸引部と、負圧発生装置と、一方が大気に開放されもう一方が前記負圧発生装置に接続される大気開放弁と、前記大気開放弁に指令を行う制御装置と、入口が前記吸引部に接続され出口が前記負圧発生装置と前記大気開放弁の大気側でない口に接続され流量信号が制御装置に接続される流量測定装置とを備え、前記流量測定装置は吸引の流量を測定し前記制御装置は閉塞が発生した場合に一定の時間前記大気開放弁を開ける指令を出力し前記吸引部での吸引力を減ずる又は０にすることによって閉塞を解決することを特徴とする吸引装置。
【請求項４】
吸引部と、負圧発生装置と、一方が大気に開放されもう一方が前記負圧発生装置に接続される大気開放弁と、前記大気開放弁に指令を行う制御装置と、入口が前記吸引部に接続され出口が前記負圧発生装置と前記大気開放弁の大気側でない口に接続され圧力信号が制御装置に接続される圧力測定装置とを備え、前記圧力測定装置は吸引の圧力を測定し前記制御装置は閉塞が発生した場合に一定の時間前記大気開放弁を開ける指令を出力し前記吸引部での吸引力を減ずる又は０にすることによって閉塞を解決することを特徴とする吸引装置。
【請求項５】
吸引部と、負圧発生装置と、加圧装置と、入口が前記加圧装置に出口が前記負圧発生装置に接続される弁と、前記弁に指令を行う制御装置と、入口が前記吸引部に接続され出口が前記負圧発生装置と前記弁の出口に接続され流量信号が制御装置に接続される流量測定装置とを備え、前記流量測定装置は吸引の流量を測定し前記制御装置は閉塞が発生した場合に一定の時間前記弁を開ける指令を出力し前記吸引部での吸引力を減ずる又は０又は加圧することによって閉塞を解決することを特徴とする吸引装置。
【請求項６】
吸引部と、負圧発生装置と、加圧装置と、入口が前記加圧装置に出口が前記負圧発生装置に接続される弁と、前記弁に指令を行う制御装置と、入口が前記吸引部に接続され出口が前記負圧発生装置と前記弁の出口に接続され圧力信号が制御装置に接続される圧力測定装置とを備え、前記圧力測定装置は吸引の圧力を測定し前記制御装置は閉塞が発生した場合に一定の時間前記弁を開ける指令を出力し前記吸引部での吸引力を減ずる又は０又は加圧することによって閉塞を解決することを特徴とする吸引装置。
【請求項７】
吸引部と、圧力を制御可能な負圧発生装置と、負圧発生装置に指令を出力する制御装置と、入口が前記吸引部に接続され出口が前記負圧発生装置に接続され流量信号が制御装置に接続される流量測定装置とを備え、前記流量測定装置は吸引の流量を測定し前記制御装置は閉塞が発生した場合に一定の時間負圧発生装置に負圧を減ずる又は０にする又は加圧する指令を出力し圧力を変化させる事によって閉塞を解決することを特徴とする吸引装置。
【請求項８】
吸引部と、圧力を制御可能な負圧発生装置と、負圧発生装置に指令を出力する制御装置と、入口が前記吸引部に接続され出口が前記負圧発生装置に接続され圧力信号が制御装置に接続される圧力測定装置とを備え、前記圧力測定装置は吸引の圧力を測定し前記制御装置は閉塞が発生した場合に一定の時間負圧発生装置に負圧を減ずる又は０にする又は加圧する指令を出力し圧力を変化させる事によって閉塞を解決することを特徴とする吸引装置。
【発明の詳細な説明】
【技術分野】
【０００１】  本発明は、吸引装置に関する。
【背景技術】
【０００２】  図９に従来の吸引装置の構成を示す。
０９１は吸引部、０９２は負圧発生装置である。吸引部０９１は負圧発生装置０９２に接続される。吸引部０９１には例えばノズルが使われる。装置の使用例としては、歯科治療用のバキューム装置が上げられる。
【先行技術文献】
【特許文献】
【０００３】
【特許文献１】特開平０６−３２２４２２号
【発明の概要】
【発明が解決しようとする課題】
【０００４】  従来装置において吸引部で吸引物が閉塞した場合、吸引を引き続き行えなくなる問題がある。その場合閉塞物を取り除く必要がある。特許文献１では、この問題を解決するためにノズルの先端部近傍に制御弁を介して外気を吸入する吸入管を設けている。これによって外気とともに閉塞物を吸い込む仕組みとなっている。ところが、この方法によるとノズルの先端部近傍に吸入管を設ける必要があるため、吸入部の構成が複雑になり、吸入部の小型化に向かない。また歯科治療に用いる場合、口内に入れる部品が複雑な形状になると消毒・清掃に適さない問題がある。【０００５】  本発明の目的は、吸入部が単純な形状のままで閉塞の問題点を解決した吸引装置を提供することである。
【課題を解決するための手段】
【０００６】  上記目的を達成するために、
請求項１にかかる発明は、吸引部と、負圧発生装置と、出口が前記負圧発生装置に接続される弁と、前記弁に指令を行う制御装置と、入口が前記吸引部に接続され出口が前記弁の入口に接続され流量信号が前記制御装置に接続される流量測定装置とを備え、前記流量測定装置は吸引の流量を測定し前記制御装置は閉塞が発生した場合に一定の時間前記弁を閉じる指令を出力し前記吸引部での吸引力を減ずる又は０にすることを特徴とする。【０００７】  請求項２にかかる発明は、吸引部と、負圧発生装置と、出口が前記負圧発生装置に接続される弁と、前記弁に指令を行う制御装置と、入口が前記吸引部に接続され出口が前記弁の入口に接続され圧力信号が前記制御装置に接続される圧力測定装置とを備え、前記圧力測定装置は吸引の圧力を測定し前記制御装置は閉塞が発生した場合に一定の時間前記弁を閉じる指令を出力し前記吸引部での吸引力を減ずる又は０にすることを特徴とする。【０００８】  請求項３にかかる発明は、吸引部と、負圧発生装置と、一方が大気に開放されもう一方が前記負圧発生装置に接続される大気開放弁と、前記大気開放弁に指令を行う制御装置と、入口が前記吸引部に接続され出口が前記負圧発生装置と前記大気開放弁の大気側でない口に接続され流量信号が前記制御装置に接続される流量測定装置とを備え、前記流量測定装置は吸引の流量を測定し前記制御装置は閉塞が発生した場合に一定の時間前記大気開放弁を開ける指令を出力し前記吸引部での吸引力を減ずる又は０にすることを特徴とする。【０００９】  請求項４にかかる発明は、吸引部と、負圧発生装置と、一方が大気に開放されもう一方が前記負圧発生装置に接続される大気開放弁と、前記大気開放弁に指令を行う制御装置と、入口が前記吸引部に接続され出口が前記負圧発生装置と前記大気開放弁の大気側でない口に接続され圧力信号が前記制御装置に接続される圧力測定装置とを備え、前記圧力測定装置は吸引の圧力を測定し前記制御装置は閉塞が発生した場合に一定の時間前記大気開放弁を開ける指令を出力し前記吸引部での吸引力を減ずる又は０にすることを特徴とする。【００１０】  請求項５にかかる発明は、吸引部と、負圧発生装置と、加圧装置と、入口が前記加圧装置に出口が前記負圧発生装置に接続される弁と、前記弁に指令を行う制御装置と、入口が前記吸引部に接続され出口が前記負圧発生装置と前記弁の出口に接続され流量信号が前記制御装置に接続される流量測定装置とを備え、前記流量測定装置は吸引の流量を測定し前記制御装置は閉塞が発生した場合に一定の時間前記弁を開ける指令を出力し前記吸引部での吸引力を減ずる又は０又は加圧することを特徴とする。【００１１】  請求項６にかかる発明は、吸引部と、負圧発生装置と、加圧装置と、入口が前記加圧装置に出口が前記負圧発生装置に接続される弁と、前記弁に指令を行う制御装置と、入口が前記吸引部に接続され出口が前記負圧発生装置と前記弁の出口に接続され圧力信号が前記制御装置に接続される圧力測定装置とを備え、前記圧力測定装置は吸引の圧力を測定し前記制御装置は閉塞が発生した場合に一定の時間前記弁を開ける指令を出力し前記吸引部での吸引力を減ずる又は０又は加圧することを特徴とする。【００１２】  請求項７にかかる発明は、吸引部と、圧力を制御可能な負圧発生装置と、負圧発生装置に指令を出力する制御装置と、入口が前記吸引部に接続され出口が前記負圧発生装置に接続され流量信号が前記制御装置に接続される流量測定装置とを備え、前記流量測定装置は吸引の流量を測定し前記制御装置は閉塞が発生した場合に一定の時間負圧発生装置に負圧を減ずる又は０にする又は加圧する指令を出力し前記負圧発生装置の圧力を変化させることを特徴とする。【００１３】  請求項８にかかる発明は、吸引部と、圧力を制御可能な負圧発生装置と、負圧発生装置に指令を出力する制御装置と、入口が前記吸引部に接続され出口が前記負圧発生装置に接続され圧力信号が前記制御装置に接続される圧力測定装置とを備え、前記圧力測定装置は吸引の圧力を測定し前記制御装置は閉塞が発生した場合に一定の時間負圧発生装置に負圧を減ずる又は０にする又は加圧する指令を出力し前記負圧発生装置の圧力を変化させることを特徴とする。
【発明の効果】
【００１４】  請求項１にかかる発明によれば、吸引部で閉塞が発生した場合に吸引部の負圧を減ずる又は０にすることで閉塞を解くことができる。また、吸引部は特別な構造を有さないので従来のものが利用できる。【００１５】  請求項２にかかる発明によれば、吸引部で閉塞が発生した場合に吸引部の負圧を減ずる又は０にすることで閉塞を解くことができる。また、吸引部は特別な構造を有さないので従来のものが利用できる。【００１６】  請求項３にかかる発明によれば、吸引部で閉塞が発生した場合に吸引部の負圧を減ずる又は０にすることで閉塞を解くことができる。また、吸引部は特別な構造を有さないので従来のものが利用できる。【００１７】  請求項４にかかる発明によれば、吸引部で閉塞が発生した場合に吸引部の負圧を減ずる又は０にすることで閉塞を解くことができる。また、吸引部は特別な構造を有さないので従来のものが利用できる。【００１８】  請求項５にかかる発明によれば、吸引部で閉塞が発生した場合に吸引部の負圧を減ずる又は０又は加圧することで閉塞を解くことができる。また、吸引部は特別な構造を有さないので従来のものが利用できる。【００１９】  請求項６にかかる発明によれば、吸引部で閉塞が発生した場合に吸引部の負圧を減ずる又は０又は加圧することで閉塞を解くことができる。また、吸引部は特別な構造を有さないので従来のものが利用できる。【００２０】  請求項７にかかる発明によれば、吸引部で閉塞が発生した場合に吸引部の負圧を減ずる又は０又は加圧することで閉塞を解くことができる。また、吸引部は特別な構造を有さないので従来のものが利用できる。【００２１】  請求項８にかかる発明によれば、吸引部で閉塞が発生した場合に吸引部の負圧を減ずる又は０又は加圧することで閉塞を解くことができる。また、吸引部は特別な構造を有さないので従来のものが利用できる。
【図面の簡単な説明】
【００２２】
【図１】本発明の第１の実施例のブロック図である。
【図２】本発明の第２の実施例のブロック図である。
【図３】本発明の第３の実施例のブロック図である。
【図４】本発明の第４の実施例のブロック図である。
【図５】本発明の第５の実施例のブロック図である。
【図６】本発明の第６の実施例のブロック図である。
【図７】本発明の第７の実施例のブロック図である。
【図８】本発明の第８の実施例のブロック図である。
【図９】従来の吸引装置のブロック図である。
【発明を実施するための形態】
【００２３】＜第１の実施例＞
図１に本発明の第１の実施例の吸引装置の構成を示す。０１１は吸引部、０１２は負圧発生装置、０１３は弁、０１４は制御装置、０１５は流量測定装置である。吸引部０１１は流量測定装置０１５の入口に接続される。流量測定装置０１５の出口は弁０１３の入口に、流量信号は制御装置０１４の入力に接続される。制御装置０１４の出力は弁０１３の制御入力に接続される。弁０１３の出口は負圧発生装置０１２に接続される。
【００２４】  流量測定装置０１５は吸引部０１１の流量を測定し、結果を制御装置０１４に出力する。制御装置０１４は閉塞が発生していない場合、弁０１３を開ける。閉塞が発生した場合、一定の時間弁０１３を絞るか、閉じる。すると吸引部０１１における負圧が減少又は０になり、閉塞物は落下し閉塞が解除される。その後、弁０１３を開けると引き続き吸引が可能となる。
【００２５】＜第２の実施例＞
図２に本発明の第２の実施例の吸引装置の構成を示す。０２１は吸引部、０２２は負圧発生装置、０２３は弁、０２４は制御装置、０２５は圧力測定装置である。吸引部０２１は圧力測定装置０２５の入口に接続される。圧力測定装置０２５の出口は弁０２３の入口に、圧力信号は制御装置０２４の入力に接続される。制御装置０２４の出力は弁０２３の制御入力に接続される。弁０２３の出口は負圧発生装置０２２に接続される。
【００２６】  圧力測定装置０２５は吸引部０２１の圧力を測定し、結果を制御装置０２４に出力する。制御装置０２４は閉塞が発生していない場合、弁０２３を開ける。閉塞が発生した場合、一定の時間弁０２３を絞るか、閉じる。すると吸引部０２１における負圧が減少又は０になり、閉塞物は落下し閉塞が解除される。その後、弁０２３を開けると引き続き吸引が可能となる。
【００２７】＜第３の実施例＞
図３に本発明の第３の実施例の吸引装置の構成を示す。０３１は吸引部、０３２は負圧発生装置、０３３は大気開放弁、０３４は制御装置、０３５は流量測定装置である。吸引部０３１は流量測定装置０３５の入口に接続される。流量測定装置０３５の出口は大気開放弁０３３の大気側でない口と負圧発生装置０３２に、流量信号は制御装置０３４の入力に接続される。制御装置０３４の出力は大気開放弁０３３の制御入力に接続される。
【００２８】  流量測定装置０３５は吸引部０３１の流量を測定し、結果を制御装置０３４に出力する。制御装置０３４は閉塞が発生していない場合、大気開放弁０３３を閉じる。閉塞が発生した場合、一定の時間大気開放弁０３３を開ける。すると吸引部０３１における負圧が減少又は０になり、閉塞物は落下し閉塞が解除される。その後、大気開放弁０３３が閉じると引き続き吸引が可能となる。
【００２９】＜第４の実施例＞
図４に本発明の第４の実施例の吸引装置の構成を示す。０４１は吸引部、０４２は負圧発生装置、０４３は大気開放弁、０４４は制御装置、０４５は圧力測定装置である。吸引部０４１は圧力測定装置０４５の入口に接続される。圧力測定装置０４５の出口は大気開放弁０４３の大気側でない口と負圧発生装置０４２に、圧力信号は制御装置０４４の入力に接続される。制御装置０４４の出力は大気開放弁０４３の制御入力に接続される。
【００３０】  圧力測定装置０４５は吸引部０４１の圧力を測定し、結果を制御装置０４４に出力する。制御装置０４４は閉塞が発生していない場合、大気開放弁０４３を閉じる。閉塞が発生した場合、一定の時間大気開放弁０４３を開ける。すると吸引部０４１における負圧が減少又は０になり、閉塞物は落下し閉塞が解除される。その後、大気開放弁０４３が閉じると引き続き吸引が可能となる。
【００３１】＜第５の実施例＞
図５に本発明の第５の実施例の吸引装置の構成を示す。０５１は吸引部、０５２は負圧発生装置、０５３は弁、０５４は制御装置、０５５は流量測定装置、０５６は加圧装置である。吸引部０５１は流量測定装置０５５の入口に接続される。流量測定装置０５５の出口は弁０５３の出口と負圧発生装置０５２に、流量信号は制御装置０５４の入力に接続される。制御装置０５４の出力は弁０５３の制御入力に接続される。
【００３２】  流量測定装置０５５は吸引部０５１の流量を測定し、結果を制御装置０５４に出力する。制御装置０５４は閉塞が発生していない場合、弁０５３を閉じる。閉塞が発生した場合、一定の時間弁０５３を開ける。すると吸引部０５１における負圧が減少又は０又は正圧になり、閉塞物は落下し閉塞が解除される。その後、弁０５３が閉じると引き続き吸引が可能となる。
【００３３】＜第６の実施例＞
図６に本発明の第６の実施例の吸引装置の構成を示す。０６１は吸引部、０６２は負圧発生装置、０６３は弁、０６４は制御装置、０６５は圧力測定装置、０６６は加圧装置である。吸引部０６１は圧力測定装置０６５の入口に接続される。圧力測定装置０６５の出口は弁０６３の出口と負圧発生装置０６２に、圧力信号は制御装置０６４の入力に接続される。制御装置０６４の出力は弁０６３の制御入力に接続される。
【００３４】  圧力測定装置０６５は吸引部０６１の圧力を測定し、結果を制御装置０６４に出力する。制御装置０６４は閉塞が発生していない場合、弁０６３を閉じる。閉塞が発生した場合、一定の時間弁０６３を開ける。すると吸引部０６１における負圧が減少又は０又は正圧になり、閉塞物は落下し閉塞が解除される。その後、弁０６３が閉じると引き続き吸引が可能となる。
【００３５】＜第７の実施例＞
図７に本発明の第７の実施例の吸引装置の構成を示す。０７１は吸引部、０７２は負圧発生装置、０７３は制御装置、０７４は流量測定装置である。吸引部０７１は流量測定装置０７４の入口に接続される。流量測定装置０７４の出口は負圧発生装置０７２に、流量信号は制御装置０７３の入力に接続される。制御装置０７３の出力は負圧発生装置０７２の制御入力に接続される。
【００３６】  流量測定装置０７４は吸引部０７１の流量を測定し、結果を制御装置０７３に出力する。制御装置０７３は閉塞が発生していない場合、負圧を発生するよう負圧発生装置０７２に指令を出力する。閉塞が発生した場合、一定の時間負圧を減ずるか又は０にするか又は加圧するよう指令を出力する。すると吸引部０７１における負圧が減少又は０又は正圧になり、閉塞物は落下し閉塞が解除される。その後、負圧発生装置０７２が閉塞がない場合の圧力に復帰すると引き続き吸引が可能となる。
【００３７】＜第８の実施例＞
図８に本発明の第８の実施例の吸引装置の構成を示す。０８１は吸引部、０８２は負圧発生装置、０８３は制御装置、０８４は圧力測定装置である。吸引部０８１は圧力測定装置０８４の入口に接続される。圧力測定装置０８４の出口は負圧発生装置０８２に、圧力信号は制御装置０８３の入力に接続される。制御装置０８３の出力は負圧発生装置０８２の制御入力に接続される。
【００３８】  圧力測定装置０８４は吸引部０８１の圧力を測定し、結果を制御装置０８３に出力する。制御装置０８３は閉塞が発生していない場合、負圧を発生するよう負圧発生装置０７２に指令を出力する。閉塞が発生した場合、一定の時間負圧を減ずるか又は０にするか又は加圧するよう指令を出力する。すると吸引部０８１における負圧が減少又は０又は正圧になり、閉塞物は落下し閉塞が解除される。その後、負圧発生装置０８２が閉塞がない場合の圧力に復帰すると引き続き吸引が可能となる。
【符号の説明】
【００３９】  ０１１：吸引部、０１２：負圧発生装置、０１３：弁、０１４：制御装置、０１５：流量測定装置
０２１：吸引部、０２２：負圧発生装置、０２３：弁、０２４：制御装置、０２５：圧力測定装置
０３１：吸引部、０３２：負圧発生装置、０３３：大気開放弁、０３４：制御装置、０３５：流量測定装置
０４１：吸引部、０４２：負圧発生装置、０４３：大気開放弁、０４４：制御装置、０４５：圧力測定装置
０５１：吸引部、０５２：負圧発生装置、０５３：弁、０５４：制御装置、０５５：流量測定装置、０５６：加圧装置
０６１：吸引部、０６２：負圧発生装置、０６３：弁、０６４：制御装置、０６５：圧力測定装置、０６６：加圧装置
０７１：吸引部、０７２：負圧発生装置、０７３：制御装置、０７４：流量測定装置
０８１：吸引部、０８２：負圧発生装置、０８３：制御装置、０８４：圧力測定装置
０９１：吸引部、０９２：負圧発生装置
【図１】
2016013398.tif 000003
【図２】
2016013398.tif 000004
【図３】
2016013398.tif 000005
【図４】
2016013398.tif 000006
【図５】
2016013398.tif 000007
【図６】
2016013398.tif 000008
【図７】
2016013398.tif 000009
【図８】
2016013398.tif 000010
【図９】
2016013398.tif 000011